(57)【特許請求の範囲】
【請求項１】
背面に調理設備が設けられるキッチン前収納棚であって、
背面に調理設備が設けられる第一背板と、
一対の側板と、
天板と、
前記天板の下方に配置されて前記キッチン前収納棚の収納空間を上下に仕切り、前記天板との間に上部収納空間を形成する棚板と、
前記第一背板の手前側に配置されて前記上部収納空間の背板となる第二背板と、を備え、
前記第一背板は、コンセントが取り付けられる第一貫通孔を有し、
前記第二背板は、前記第一背板との間に、前記第一貫通孔に連通される第一空間を形成し、
前記一対の側板の少なくとも一方は、電源コードが引き込まれる第二貫通孔を有し、
前記棚板は、内部に前記第二貫通孔及び前記第一空間に連通される第二空間を有する、
キッチン前収納棚。
【請求項２】
前記第二空間は、前記第一背板まで延びて前記第一空間に開口している、
請求項１に記載のキッチン前収納棚。
【請求項３】
前記棚板は、芯材と、前記芯材を挟んで対向配置される上板及び下板と、を有し、
前記第二空間は、前記上板と前記下板との間の中空空間である、
請求項１又は２に記載のキッチン前収納棚。
【請求項４】
前記上板及び前記下板の少なくとも一方は、前記第二空間を開閉する蓋部を有する、
請求項３に記載のキッチン前収納棚。
【請求項５】
前記背板は、前記キッチン前収納棚の設置面に立設されている、
請求項１〜４の何れか一項に記載のキッチン前収納棚。
【請求項６】
前記上部収納空間を左右に仕切る仕切板を更に備え、
前記仕切板は、前記第二背板よりも前記第一背板側まで延びるとともに、前記第一背板に当接していない、
請求項１〜５の何れか一項に記載のキッチン前収納棚。
【発明の詳細な説明】
【技術分野】
【０００１】
本発明は、キッチンの前に配置されるキッチン前収納に関する。
【背景技術】
【０００２】
近年、住宅の間取りとして、キッチン（Ｋ）とリビング（Ｌ）及びダイニング（Ｄ）とを壁等で区切らずに、これらを一つの空間としたＬＤＫが一般的に採用されている。ＬＤＫでは、リビング−ダイニング側に向けて調理できるように、キッチンとリビング―ダイニングとの間に、流し台、調理台、コンロ等の調理設備を配置した対面型キッチンが採用されることが多い。このような対面型キッチンでは、調理設備のリビング―ダイニング側に、調理設備が固定される背パネルを、キッチンとリビング―ダイニングとの間の仕切として設置している。そして、背パネルを有効利用するために、背パネルのリビング―ダイニング側に、キッチン前収納棚と呼ばれる収納設備を設けることが考えられている（例えば、特許文献１参照)。
【先行技術文献】
【特許文献】
【０００３】
【特許文献１】特開平０６−０７０８２４号公報
【特許文献２】特開２０００−１０２４２８号公報
【発明の概要】
【発明が解決しようとする課題】
【０００４】
ところで、キッチンでは、食器乾燥機や電動調理器具等の電気機器を使用するために、背パネルにコンセントを設置することが求められる。
【０００５】
通常、コンセントに接続される電源コードは、袖壁等の壁面から取り出される。しかしながら、コンセントの設置位置が、電源コードの取出位置から離れていると、電源コードをキッチン前収納棚に通して配線する必要がある。しかも、キッチン前収納棚の設置位置によっては、電源コードの取出位置に対してキッチン前収納棚が前後する。また、調理台の高さ等によっては、電源コードの取出位置に対してコンセントの設置位置が上下する。このため、キッチン前収納棚には、電源コードの取出位置の前後方向における配置自由度と、コンセントの設置位置の上下方向における配置自由度と、が求められる。
【０００６】
この点、特許文献２には、配線を隠すための桟を設けることで、電源コードを露出させずに配線する技術が記載されている。しかしながら、特許文献２に記載された技術を用いると、キッチン前収納棚の外側に配線を隠すための桟を取り付ける必要があるため、キッチン前収納棚の意匠性が低下するという問題がある。
【０００７】
そこで、本発明は、意匠性の低下を抑制しつつ、電源コードの取出位置及びコンセントの設置位置の配置自由度を向上することができるキッチン前収納棚を提供することを目的とする。
【課題を解決するための手段】
【０００８】
本発明に係るキッチン前収納棚は、背面に調理設備が設けられる第一背板と、一対の側板と、天板と、天板の下方に配置されて天板との間に収納空間を形成する棚板と、第一背板の手前側に配置されて収納空間の背板となる第二背板と、を備え、第一背板は、コンセントが取り付けられる第一貫通孔を有し、第二背板は、第一背板との間に、第一貫通孔に連通される第一空間を形成し、一対の側板の少なくとも一方は、電源コードが引き込まれる第二貫通孔を有し、棚板は、内部に第二貫通孔及び第一空間に連通される第二空間を有する。
【０００９】
本発明に係るキッチン前収納棚では、第一貫通孔、第一空間、第二空間及び第二貫通孔がこの順に連通されている。このため、壁から取り出された電源コードを、側板の第二貫通孔から棚板の第二空間に引き込み、第二空間から第一背板と第二背板との間の第一空間に引き込み、第一空間から第一背板の第一貫通孔に引き出すことができる。そして、第一貫通孔に引き出された電源コードにコンセントを接続することで、第一背板の第一貫通孔にコンセントを設置することができる。これにより、電源コードをキッチン前収納棚の内部に配線することができるため、意匠性の低下を抑制することができる。しかも、第二空間を有する棚板は、キッチン前収納棚の前後方向に延びているため、電源コードの取出位置の前後方向における配置自由度が向上する。また、第一空間を形成する第一背板及び第二背板は、キッチン前収納棚の上下方向に延びているため、コンセントの設置位置の上下方向における配置自由度が向上する。
【００１０】
この場合、第二空間は、第一背板まで延びて第一空間に開口していてもよい。このキッチン前収納棚では、第二空間が第一背板まで延びて第一空間に開口しているため、第二空間と第一空間とを容易に連通させることができる。
【００１１】
また、棚板は、芯材と、芯材を挟んで対向配置される上板及び下板と、を有し、第二空間は、上板と下板との間の中空空間であってもよい。このキッチン前収納棚では、棚板が、芯材を上板及び下板で挟む構造であるため、上板と下板との間に芯材分の中空空間が形成される。そこで、この中空空間を第二空間とすることで、棚板の内部に容易に第二空間を形成することができる。
【００１２】
この場合、上板及び下板の少なくとも一方は、収納空間において第二空間を開閉する蓋部を有してもよい。このキッチン前収納棚では、上板及び下板の少なくとも一方の蓋部を開閉することで、棚板の上方又は下方から第二空間を観察することができる。このため、蓋部を開けることで、目視しながら電源コードを第二空間に引き込むことができ、その後、蓋部を閉めることで、収納空間の意匠性が低下するのを抑制することができる。
【発明の効果】
【００１３】
本発明によれば、意匠性の低下を抑制しつつ、電源コードの取出位置及びコンセントの設置位置の配置自由度を向上することができる。
【図面の簡単な説明】
【００１４】
【図１】キッチン前収納棚の斜視図である。
【図２】キッチン前収納棚の正面図である。
【図３】図２に示すＩＩＩ−ＩＩＩ線における断面図である。
【図４】キッチン前収納棚の背面図である。
【図５】天板及び引出を取り除いたキッチン前収納棚の斜視図である。
【図６】図５に示すキッチン前収納棚の平面図である。
【図７】更に第一背板及び蓋部を取り除いたキッチン前収納棚の斜視図である。
【図８】図７に示すキッチン前収納棚の平面図である。
【図９】図６に示すＩＸ−ＩＸ線における断面図である。
【図１０】図６に示すＸ−Ｘ線における断面図である。
【発明を実施するための形態】
【００１５】
以下、図面を参照して、実施形態のキッチン前収納棚について詳細に説明する。なお、全図中、同一または相当部分には同一符号を付し、重複する説明を省略する。
【００１６】
図１は、キッチン前収納棚の斜視図である。図１に示すように、本実施形態のキッチン前収納棚１は、キッチンとリビング−ダイニングとの間に配置されて、背面に調理設備２が設けられる収納棚である。
【００１７】
調理設備２は、キッチンにおいて調理を行う設備である。調理設備２は、例えば、流し台２１、調理台２２、コンロ２３、収納部２４等を備えている。
【００１８】
図２は、キッチン前収納棚の正面図である。図３は、図２に示すＩＩＩ−ＩＩＩ線における断面図である。図４は、キッチン前収納棚の背面図である。なお、図１及び図３では、キッチン前収納棚が取り付けられる調理設備も示している。図１〜図４に示すように、キッチン前収納棚１は、第一背板３と、一対の側板４Ａ，４Ｂと、天板５と、地板６と、棚板７と、第二背板８と、第三背板９と、を備える。なお、本実施形態では、第一背板３に対する調理設備２の反対側が前側となり、第一背板３に対する調理設備２側が後側となる。そして、キッチン前収納棚１の幅方向は、キッチン前収納棚１の正面視における左右方向、つまり図２における左右方向となる。
【００１９】
第一背板３は、キッチン前収納棚１の幅方向全域に延びる矩形の板状部材である。第一背板３は、調理設備２を固定するとともにキッチンとリビング―ダイニングとを部分的に仕切るための背パネルである。このため、第一背板３の背面には、調理設備２が設けられる。つまり、第一背板３は、キッチン前収納棚１及び調理設備２の背板として機能する。第一背板３は、キッチン前収納棚１の設置面に立設されている。そして、第一背板３は、天板５まで延びており、天板５の後端部を下方から支持している。但し、第一背板３は、キッチン前収納棚１の設置面に立設されていなくてもよく、また、天板５の後端部を下方から支持していなくてもよい。なお、第一背板３の背面には、調理設備２の上方に、耐水性の化粧板（不図示）が貼り付けられる。
【００２０】
第一背板３は、キッチンで使用されるコンセントが取り付けられる第一貫通孔３１を有する。第一貫通孔３１は、第一背板３を貫通する貫通孔である。第一貫通孔３１は、調理設備２の上方に位置する。なお、本実施形態では、第一貫通孔３１は、キッチン前収納棚１の左上隅部（キッチン側から見ると右上隅部）に位置するものとして説明する。
【００２１】
側板４Ａ，４Ｂは、キッチン前収納棚１の前後方向に延びる矩形の板状部材である。側板４Ａは、キッチン前収納棚１の右側に配置される側板であり、側板４Ｂは、キッチン前収納棚１の左側に配置される側板である。側板４Ａ，４Ｂは、キッチン前収納棚１の設置面に立設されている。そして、側板４Ａ，４Ｂは、天板５まで延びており、天板５の両側端部を下方から支持している。
【００２２】
側板４Ａ，４Ｂの少なくとも一方は、電源コード１０が引き込まれる第二貫通孔４１を有する。本実施形態では、側板４Ａのみ、第二貫通孔４１を有するものとして説明する。第二貫通孔４１は、側板４Ａを貫通する貫通孔である。第二貫通孔４１は、袖壁等の壁面から取り出される電源コード１０の取出位置と同じ高さに形成されている。
【００２３】
天板５は、薄い板状部材により構成される。天板５は、第一背板３や側板４Ａ，４Ｂ等により下方から支持されて、調理台２２よりも高い位置に配置されている。また、天板５は、カウンターとしても利用されるため、カウンターとして使い勝手の良い高さに配置されている。
【００２４】
地板６は、薄い板状部材により構成される。地板６は、キッチン前収納棚１の収納空間の最下段に配置される棚板である。地板６は、側板４Ａから側板４Ｂまで延びる矩形板状に形成されており、その両端が側板４Ａ及び側板４Ｂに固定されている。なお、地板６の下側は、キッチン前収納棚１の基台となる蹴込が構成されている。
【００２５】
棚板７は、キッチン前収納棚１の収納空間を上下に仕切る棚板である。棚板７は、天板５の下方且つ地板６の上方に配置されている。棚板７は、側板４Ａから側板４Ｂまで延びる矩形板状に形成されており、その左右端が側板４Ａ及び側板４Ｂに固定されている。側板４Ａ及び側板４Ｂに対する棚板７の固定は、例えば、棚板７の両側面に埋設されたボルト用アンカ（不図示）に、側板４Ａ及び側板４Ｂを挿通させたボルト（不図示）を締結することにより行うことができる。そして、棚板７は、天板５との間に上部収納空間１０１を形成し、地板６との間に下部収納空間１０２を形成する。なお、棚板７の詳細な構成については後述する。
【００２６】
上部収納空間１０１には、上部収納空間１０１を左右に仕切る仕切板１１が配置されている。仕切板１１は、棚板７から天板５まで垂直方向に延びる矩形板状に形成されており、その上下端が棚板７及び天板５に固定されている。このため、上部収納空間１０１は、仕切板１１を境にして、右側上部収納空間１０１Ａと左側上部収納空間１０１Ｂとに分けられている。また、仕切板１１は、後述する第二背板８よりも第一背板３側まで延びているが、第一背板３には当接していない（図６及び図８参照）。つまり、第一背板３と仕切板１１との間に隙間が形成されている。
【００２７】
右側上部収納空間１０１Ａ及び左側上部収納空間１０１Ｂには、それぞれ引出１２が引き出し可能に収納されている。右側上部収納空間１０１Ａに収納される引出１２は、側板４Ａの左側面及び仕切板１１の右側面に固定された左右の引出レール１３（図５及び図７参照）に摺動可能に装着されている。左側上部収納空間１０１Ｂに収納される引出１２は、側板４Ｂの右側面及び仕切板１１の左側面に固定された左右の引出レール１３（図５及び図７参照）に摺動可能に装着されている。
【００２８】
下部収納空間１０２には、下部収納空間１０２を左右に仕切る仕切板１４が配置されている。仕切板１４は、地板６から棚板７まで垂直方向に延びる矩形板状に形成されており、その上下端が地板６及び棚板７に固定されている。このため、下部収納空間１０２は、仕切板１４を境にして、右側下部収納空間１０２Ａと左側下部収納空間１０２Ｂとに分けられている。
【００２９】
右側下部収納空間１０２Ａには、一又は複数の可動棚板１５が着脱可能に設けられる。左側下部収納空間１０２Ｂには、一又は複数の可動棚板１５が着脱可能に設けられる。可動棚板１５は、右側下部収納空間１０２Ａ及び左側下部収納空間１０２Ｂを上下に仕切る棚板である。右側下部収納空間１０２Ａに設けられる可動棚板１５は、側板４Ａの左側面及び仕切板１４の右側面に取り付けられたダボ等に載置される。左側下部収納空間１０２Ｂに設けられる可動棚板１５は、側板４Ｂの右側面及び仕切板１４の左側面に取り付けられたダボ等に載置される。
【００３０】
図５は、天板及び引出を取り除いたキッチン前収納棚の斜視図である。図６は、図５に示すキッチン前収納棚の平面図である。図７は、更に第一背板及び蓋部を取り除いたキッチン前収納棚の斜視図である。図８は、図７に示すキッチン前収納棚の平面図である。図３、図５〜図８に示すように、第二背板８は、第一背板３の手前側に配置されて、上部収納空間１０１の背板として機能する。具体的に説明すると、第二背板８は、仕切板１１を境にして、右側第二背板８Ａと左側第二背板８Ｂとに分けられている。右側第二背板８Ａは、側板４Ａから仕切板１１までの幅方向全域に延びる矩形の板状部材であり、側板４Ａの左側面、仕切板１１の右側面及び棚板７の上面に形成された溝に挿抜可能に差し込まれている。このため、右側上部収納空間１０１Ａは、天板５、棚板７、側板４Ａ、仕切板１１及び右側第二背板８Ａにより囲まれた空間となる。左側第二背板８Ｂは、側板４Ｂから仕切板１１までの幅方向全域に延びる矩形の板状部材であり、側板４Ｂの右側面、仕切板１１の左側面及び棚板７の上面に形成された溝に挿抜可能に差し込まれている。このため、左側上部収納空間１０１Ｂは、天板５、棚板７、側板４Ｂ、仕切板１１及び左側第二背板８Ｂにより囲まれた空間となる。
【００３１】
そして、第二背板８は、第一背板３との間に、第一貫通孔３１に連通される第一空間１０３を形成している。つまり、右側第二背板８Ａ及び左側第二背板８Ｂは、それぞれ第一背板３から離間して配置されることで第一背板３との間に空間が形成されており、これらの両空間は、仕切板１１と第一背板３との間の隙間で連通されている。そして、この空間が、第一空間１０３となる。このため、第一空間１０３は、側板４Ａから側板４Ｂまで左右方向に延びるとともに、棚板７から天板５まで上下方向に延びる空間となり、第一貫通孔３１と連通される。第一背板３と第二背板８との離間距離は、上部収納空間１０１を十分に確保する観点から、例えば、３０ｍｍ以上１１０ｍｍ以下とすることができる。第一背板３と仕切板１１との間は、第一空間１０３の最狭部となるため、第一背板３と仕切板１１との間の隙間は、電源コード１０の配線スペースを確保する観点から、例えば、２０ｍｍ以上１００ｍｍ以下とすることができる。
【００３２】
図３、図５及び図７に示すように、第三背板９は、第一背板３の手前側に配置されて、下部収納空間１０２の背板として機能する。具体的に説明すると、第三背板９は、仕切板１４を境にして、右側第三背板９Ａと左側第三背板９Ｂとに分けられている。右側第三背板９Ａは、側板４Ａから仕切板１４までの幅方向全域に延びる矩形の板状部材であり、側板４Ａの左側面、仕切板１４の右側面、地板６の上面及び棚板７の下面に形成された溝に差し込まれている。このため、右側下部収納空間１０２Ａは、棚板７、地板６、側板４Ａ、仕切板１４及び右側第三背板９Ａにより囲まれた空間となる。左側第三背板９Ｂは、側板４Ｂから仕切板１４までの幅方向全域に延びる矩形の板状部材であり、側板４Ｂの右側面、仕切板１４の左側面、地板６の上面及び棚板７の下面に形成された溝に差し込まれている。このため、左側下部収納空間１０２Ｂは、棚板７、地板６、側板４Ｂ、仕切板１４及び左側第三背板９Ｂにより囲まれた空間となる。
【００３３】
そして、第三背板９は、第二背板８と同様に、第一背板３との間に第三空間１０５を形成している。第三空間１０５は、側板４Ａから側板４Ｂまで左右方向に延びるとともに、棚板７から地板６まで上下方向に延びる空間となる。
【００３４】
図９は、図６に示すＩＸ−ＩＸ線における断面図である。図１０は、図６に示すＸ−Ｘ線における断面図である。図５〜図１０に示すように、棚板７は、内部に第二貫通孔４１及び第一空間１０３に連通される第二空間１０４を有する。具体的に説明すると、棚板７は、仕切板１１及び仕切板１４の右側に位置して、右側上部収納空間１０１Ａと右側下部収納空間１０２Ａとを仕切る右側棚板７Ａと、仕切板１１及び仕切板１４の左側に位置して、左側上部収納空間１０１Ｂと左側下部収納空間１０２Ｂとを仕切る左側棚板７Ｂと、を有する。右側棚板７Ａ及び左側棚板７Ｂは、一体に構成されている。そして、右側棚板７Ａにより形成される第二空間１０４が、右側第二空間１０４Ａとなり、左側棚板７Ｂにより形成される第二空間１０４が、左側第二空間となる。
【００３５】
右側棚板７Ａは、芯材７１Ａと、芯材７１Ａを挟んで対向配置される上板７２Ａ及び下板７３Ａと、を有するフラッシュ構造の棚板である。また、左側棚板７Ｂは、芯材７１Ｂと、芯材７１Ｂを挟んで対向配置される上板７２Ｂ及び下板７３Ｂと、を有するフラッシュ構造の棚板である。そして、上板７２Ａと下板７３Ａとの間の中空空間が、右側第二空間１０４Ａとなり、上板７２Ｂと下板７３Ｂとの間の中空空間が、左側第二空間１０４Ｂとなる。なお、芯材７１Ａと芯材７１Ｂ、上板７２Ａと上板７２Ｂ、下板７３Ａと下板７３Ｂとは、それぞれ一体である。
【００３６】
芯材７１Ａは、中央部に中空部が形成されて側板４Ａ側及び第一背板３側に開口した略枠状に形成されている。つまり、芯材７１Ａの中央部に位置する中空部は、側板４Ａ側及び第一背板３側に開口している。そして、芯材７１Ａの側板４Ａ側に開口した側板側枠開口部７４Ａは、少なくとも第二貫通孔４１を含むように、キッチン前収納棚１の前後方向に長く形成されている。このため、右側第二空間１０４Ａは、側板側枠開口部７４Ａから第二貫通孔４１に連通される。なお、芯材７１Ａの第一背板３側に開口した第一背板側枠開口部７５Ａは、電源コード１０の配線スペースを確保できる程度の寸法であればよい。
【００３７】
上板７２Ａは、右側上部収納空間１０１Ａの底面を構成する。上板７２Ａは、右側上部収納空間１０１Ａに配置されるが、第一空間１０３には配置されない。つまり、上板７２Ａは、右側棚板７Ａの手前側先端から右側第二背板８Ａまで延びており、第一背板３との間に隙間が形成されている。このため、第一背板３まで延びる右側第二空間１０４Ａは、、上板７２Ａと第一背板３との間の隙間から第一空間１０３に開口している。これにより、右側第二空間１０４Ａは、第一空間１０３に連通される。
【００３８】
また、上板７２Ａは、右側第二空間１０４Ａを開閉する蓋部７６Ａを有する。蓋部７６Ａは、矩形状に形成されている。蓋部７６Ａの四隅は、芯材７１Ａに載置されているとともに、ビス等の締結部材７７により芯材７１Ａに着脱可能に取り付けられている。なお、締結部材７７を外して蓋部７６Ａを取り外すと、右側第二空間１０４Ａの一部が露出する。
【００３９】
下板７３Ａは、右側下部収納空間１０２Ａの天面を構成する。下板７３Ａは、右側棚板７Ａの手前側先端から第一背板３まで延びて、右側上部収納空間１０１Ａ及び第一空間１０３の双方に配置されている。
【００４０】
芯材７１Ｂ、上板７２Ｂ及び下板７３Ｂは、右側棚板７Ａの芯材７１Ａ、上板７２Ａ及び下板７３Ａと同様である。つまり、芯材７１Ｂには、側板側枠開口部７４Ａ及び第一背板側枠開口部７５Ａに対応する側板側枠開口部７４Ｂ及び第一背板側枠開口部７５Ｂが設けられている。但し、側板側枠開口部７４Ｂは、側板４Ａ側ではなく側板４Ｂ側に開口する開口である。なお、電源コード１０が引き込まれる第二貫通孔が側板４Ｂに形成される場合は、側板側枠開口部７４Ｂは、少なくともこの第二貫通孔を含むように、キッチン前収納棚１の前後方向に長く形成されている。また、上板７２Ｂには、蓋部７６Ａに対応する蓋部７６Ｂが設けられている。
【００４１】
次に、キッチン前収納棚１の組み立て方法及び電源コード１０の配線方法について説明する。
【００４２】
まず、図７に示すように、第一背板３と、一対の側板４Ａ，４Ｂと、地板６と、棚板７と、第三背板９とを組み立てる。このとき、棚板７から、蓋部７６Ａを取り外しておく。この状態では、第一空間１０３及び右側第二空間１０４Ａが外部から視認可能となる。
【００４３】
次に、壁から引き出された電源コード１０を、第二貫通孔４１から側板側枠開口部７４Ａを通って右側第二空間１０４Ａに引き込み、仕切板１１と第一背板３との間を通して、第一貫通孔３１から引き出す。
【００４４】
次に、図５に示すように、電源コード１０を第一背板側枠開口部７５Ａに通して、蓋部７６Ａを閉じる。そして、電源コード１０を第一背板３に沿わせて、右側第二背板８Ａ及び左側第二背板８Ｂを組み付ける。すると、壁から引き出された電源コード１０は、第二貫通孔４１からキッチン前収納棚１の内部に引き込まれ、右側第二空間１０４Ａ及び第一空間１０３を通って、第一貫通孔３１からキッチン側に引き出される。
【００４５】
そして、電源コード１０にコンセントを接続し、コンセントを第一背板３のキッチン側に設置する。これにより、電源コード１０の配線が終了する。また、天板５を組み付け、適宜引出１２や可動棚板１５を取り付けることで、キッチン前収納棚１の組み立てが終了する。
【００４６】
このように、本実施形態のキッチン前収納棚１では、第一貫通孔３１、第一空間１０３、右側第二空間１０４Ａ及び第二貫通孔４１がこの順に連通されている。このため、壁から取り出された電源コード１０を、側板４Ａの第二貫通孔４１から棚板７の右側第二空間１０４Ａに引き込み、右側第二空間１０４Ａから第一背板３と第二背板８との間の第一空間１０３に引き込み、第一空間１０３から第一背板３の第一貫通孔３１に引き出すことができる。そして、第一貫通孔３１に引き出された電源コード１０にコンセントを接続することで、第一背板３の第一貫通孔３１にコンセントを設置することができる。これにより、電源コード１０をキッチン前収納棚１の内部に配線することができるため、意匠性の低下を抑制することができる。しかも、右側第二空間１０４Ａを有する棚板７は、キッチン前収納棚１の前後方向に延びているため、電源コード１０の取出位置の前後方向における配置自由度が向上する。また、第一空間１０３を形成する第一背板３及び第二背板８は、キッチン前収納棚１の上下方向に延びているため、コンセントの設置位置の上下方向における配置自由度が向上する。
【００４７】
また、右側第二空間１０４Ａが第一背板３まで延びて第一空間１０３に開口しているため、右側第二空間１０４Ａと第一空間１０３とを容易に連通させることができる。
【００４８】
また、棚板７が、芯材７１Ａ，７１Ｂを上板７２Ａ，７２Ｂ及び下板７３Ａ，７３Ｂで挟む構造であるため、上板７２Ａ，７２Ｂと下板７３Ａ，７３Ｂとの間に芯材７１Ａ，７１Ｂ分の中空空間が形成される。そこで、この中空空間を右側第二空間１０４Ａ及び左側第二空間１０４Ｂとすることで、棚板７の内部に容易に右側第二空間１０４Ａ及び左側第二空間１０４Ｂを形成することができる。
【００４９】
また、上板７２Ａの蓋部７６Ａを開閉することで、棚板７の上方から右側第二空間１０４Ａを観察することができる。このため、蓋部７６Ａを開けることで、目視しながら電源コード１０を右側第二空間１０４Ａに引き込むことができ、その後、蓋部７６Ａを閉めることで、上部収納空間１０１の意匠性が低下するのを抑制することができる。
【００５０】
以上、本発明の好適な実施形態について説明したが、本発明は上記実施形態に限定されるものではない。
【００５１】
例えば、上記実施形態では、側板４Ａに第二貫通孔４１が形成されており、右側第二空間１０４Ａから第一空間１０３に電源コード１０を引き込むものとして説明したが、側板４Ｂに第二貫通孔４１が形成されている場合は、左側第二空間１０４Ｂから第一空間１０３に電源コードを引き込めばよい。
【００５２】
また、上記実施形態では、仕切板１１及び仕切板１４により収納空間が左右に二分割されるものとして説明したが、収納空間が左右に分割されていなくてもよく、また、収納空間が左右に３以上に分割されていてもよい。
【００５３】
また、上記実施形態では、第一貫通孔３１が棚板７よりも上方に位置するものとして説明したが、第一貫通孔が棚板７よりも下方に位置する場合は、下板７３Ａと第一背板３との間に隙間を形成することで、第一空間１０３と第三空間１０５とを連通させればよい。
【００５４】
また、上記実施形態では、棚板の上板のみが第二空間開閉する蓋部を有するものとして説明したが、蓋部は、棚板の上板及び下板の少なくとも一方に有していればよい。このため、例えば、上板と下板の双方が蓋部を有していてもよい。
【符号の説明】
【００５５】
１…キッチン前収納棚、２…調理設備、３…第一背板、４Ａ，４Ｂ…側板、５…天板、６…地板、７…棚板、７Ａ…右側棚板、７Ｂ…左側棚板、８…第二背板、８Ａ…右側第二背板、８Ｂ…左側第二背板、９…第三背板、９Ａ…右側第三背板、９Ｂ…左側第三背板、１０…電源コード、１１…仕切板、１２…引出、１３…引出レール、１４…仕切板、１５…可動棚板、２１…流し台、２２…調理台、２３…コンロ、２４…収納部、３１…第一貫通孔、４１…第二貫通孔、７１Ａ，７１Ｂ…芯材、７２Ａ，７２Ｂ…上板、７３Ａ，７３Ｂ…下板、７４Ａ，７４Ｂ…側板側枠開口部、７５Ａ，７５Ｂ…第一背板側枠開口部、７６Ａ，７６Ｂ…蓋部、７７…締結部材、１０１…上部収納空間、１０１Ａ…右側上部収納空間、１０１Ｂ…左側上部収納空間、１０２…下部収納空間、１０２Ａ…右側下部収納空間、１０２Ｂ…左側下部収納空間、１０３…第一空間、１０４…第二空間、１０４Ａ…右側第二空間、１０４Ｂ…左側第二空間、１０５…第三空間。
【図１】
0006623687.tif 000002
【図２】
0006623687.tif 000003
【図３】
0006623687.tif 000004
【図４】
0006623687.tif 000005
【図５】
0006623687.tif 000006
【図６】
0006623687.tif 000007
【図７】
0006623687.tif 000008
【図８】
0006623687.tif 000009
【図９】
0006623687.tif 000010
【図１０】
0006623687.tif 000011